(57)【特許請求の範囲】
【請求項１】
無線通信システムにおいて中継器（ＲＮ）から基地局（ｅＮＢ）に信号を送信する方法であって、
前記ＲＮから前記ｅＮＢへスケジュール要求（ＳＲ）を送信するアップリンクサブフレームを判定する段階と、
前記判定されたアップリンクサブフレームにおいてだけ、前記ＳＲを含む制御情報を送信する段階と、を有し、
前記判定されたアップリンクサブフレームは、前記ＲＮから前記ｅＮＢへの送信用に設定される少なくとも一つのサブフレームのうち一つのサブフレームであり、
端末（ＵＥ）から前記ＲＮへの受信は、前記ＲＮから前記ｅＮＢへの送信用に設定された前記少なくとも一つのサブフレーム以外のサブフレームに設定され、
前記制御情報は前記ＲＮから前記ｅＮＢへ送信されるハイブリッド自動再送要求（ＨＡＲＱ）肯定応答情報を更に含み、前記ＳＲと前記ＨＡＲＱ肯定応答情報とが多重化され、
前記制御情報と、前記ＲＮから前記ｅＮＢへ送信されるデータとが多重化されて、前記判定されたアップリンクサブフレームにおいて送信される、方法。
【請求項２】
前記判定されたアップリンクサブフレームは、前記ＲＮから前記ｅＮＢへの物理アップリンク共有チャネル（ＰＵＳＣＨ）送信用に設定される、請求項１に記載の方法。
【請求項３】
前記ＲＮから前記ｅＮＢへの前記ＰＵＳＣＨ送信は、中継器−物理ダウンリンク制御チャネル（Ｒ−ＰＤＣＣＨ）によって設定される、請求項２に記載の方法。
【請求項４】
前記ＲＮから前記ｅＮＢへの前記送信用に設定されていないサブフレームでは、前記ＳＲは送信されない、請求項１に記載の方法。
【請求項５】
前記ＲＮから前記ｅＮＢへの前記送信用に設定されていないサブフレームは、前記ＵＥから前記ＲＮへの受信用に設定されるサブフレームを含む、請求項４に記載の方法。
【請求項６】
前記ＵＥから前記ＲＮへの前記受信用に設定される前記サブフレームは、前記ＵＥから前記ＲＮへのＰＵＳＣＨ送信用に設定される、請求項５に記載の方法。
【請求項７】
無線通信システムにおける中継器（ＲＮ）であって、
基地局（ｅＮＢ）からダウンリンク信号を受信し、又は端末（ＵＥ）からアップリンク信号を受信する受信モジュールと、
前記ｅＮＢへアップリンク信号を送信し、又は前記ＵＥへダウンリンク信号を送信する送信モジュールと、
前記受信モジュール及び送信モジュールを含む前記ＲＮを制御するプロセッサと、を備え、
前記プロセッサは、
前記ＲＮから前記ｅＮＢへスケジュール要求（ＳＲ）を送信するアップリンクサブフレームを判定し、
前記判定されたアップリンクサブフレームにおいてだけ、前記ＳＲを含む制御情報を送信するように構成され、
前記判定されたアップリンクサブフレームは、前記ＲＮから前記ｅＮＢへの送信用に設定される少なくとも一つのサブフレームのうち一つのサブフレームであり、
端末（ＵＥ）から前記ＲＮへの受信は、前記ＲＮから前記ｅＮＢへの送信用に設定された前記少なくとも一つのサブフレーム以外のサブフレームに設定され、
前記制御情報は前記ＲＮから前記ｅＮＢへ送信されるハイブリッド自動再送要求（ＨＡＲＱ）肯定応答情報を更に含み、前記ＳＲと前記ＨＡＲＱ肯定応答情報とが多重化され、
前記制御情報と、前記ＲＮから前記ｅＮＢへ送信されるデータとが多重化されて、前記判定されたアップリンクサブフレームにおいて送信される、中継器。
【請求項８】
前記判定されたアップリンクサブフレームは、前記ＲＮから前記ｅＮＢへの物理アップリンク共有チャネル（ＰＵＳＣＨ）送信用に設定される、請求項７に記載の中継器。
【請求項９】
前記ＲＮから前記ｅＮＢへの前記ＰＵＳＣＨ送信は、中継器−物理ダウンリンク制御チャネル（Ｒ−ＰＤＣＣＨ）によって設定される、請求項８に記載の中継器。
【請求項１０】
前記ＲＮから前記ｅＮＢへの前記送信用に設定されていないサブフレームでは、前記ＳＲは送信されない、請求項７に記載の中継器。
【請求項１１】
前記ＲＮから前記ｅＮＢへの前記送信用に設定されていないサブフレームは、前記ＵＥから前記ＲＮへの受信用に設定されるサブフレームを含む、請求項１０に記載の中継器。
【請求項１２】
前記ＵＥから前記ＲＮへの前記受信用に設定される前記サブフレームは、前記ＵＥから前記ＲＮへのＰＵＳＣＨ送信用に設定される、請求項１１に記載の中継器。
【発明の詳細な説明】
【技術分野】
【０００１】
本発明は、無線通信システムに係り、特に、中継器の優先順位付け（ｐｒｉｏｒｉｔｉｚｉｎｇ）動作のための方法及び該方法を実行できる装置に関するものである。
【背景技術】
【０００２】
図１は、無線通信システム１００を示す図である。図１を参照すると、無線通信システム１００は、基地局（ｅＮＢ）１１０、中継器（ＲＮ）１２０及びユーザ機器（ＵＥ）１３１，１３２を含むことができる。以下、ｅＮＢ  １１０から直接サービスを受けるＵＥ  １３１をマクロＵＥとし、ＲＮ  １２０からサービスを受けるＵＥ  １３２を中継器ＵＥとする。一般に、ＲＮ  １２０は、中継器ＵＥ  １３２から基地局１１０への信号又は基地局１１０から中継器ＵＥ  １３２への信号を伝達する。また、ＲＮ  １２０は、高データレートサービスの拡張、グループ移動性、臨時のネットワーク配置、セル端（ｃｅｌｌ−ｅｄｇｅ）スループット、及び新しい領域におけるサービスの提供など、無線通信システム１００の向上を支援する。
【０００３】
図２は、ｅＮＢとＲＮとのリンク、及びＲＮとＵＥとのリンクを示す図である。図２を参照すると、ＲＮは、Ｕｎインタフェースを介してｅＮＢと無線で接続でき、ＲＮとｅＮＢとの無線リンクはバックホール（Ｂａｃｋｈａｕｌ）リンクと呼ばれる。バックホールダウンリンクは、ｅＮＢからＲＮへの無線リンクであり、バックホールアップリンクは、ＲＮからｅＮＢへの無線リンクである。また、ＲＮは、Ｕｕインタフェースを介してＵＥと無線で接続でき、ＲＮとＵＥとの無線リンクは、アクセスリンクと呼ばれる。アクセスダウンリンクは、ＲＮからＵＥへの無線リンクであり、アクセスアップリンクは、ＵＥからＲＮへの無線リンクである。
【０００４】
バックホールリンクは、アクセスリンクと同一の周波数帯域で動作することがあり、これを「帯域内」という。一方、バックホールリンクは、アクセスリンクと異なる周波数帯域で動作することもあり、これを「帯域外」という。
【０００５】
帯域内ＲＮにおいて、バックホールダウンリンク信号の受信とアクセスダウンリンク信号の送信が同一周波数帯域で同時に行われる場合、ＲＮ送信器から送信される信号がＲＮ受信器に受信されることがある。同様に、ＲＮが同一周波数帯域で同時にアクセスアップリンク信号を受信し、バックホールアップリンク信号を送信する場合、ＲＮ送信器から送信される信号がＲＮ受信器に受信されることがある。そのため、干渉が発生するが、これはＲＮ送信器が自身の受信器に干渉を与えるからである。このような干渉を避けるために、ＲＮへのリソース分割を考慮することができる。すなわち、ＲＮ動作において、同一周波数帯域上で送信及び受信が同時に発生しないようにすることが要求される。リソース分割のために、ＲＮは、半２重（ｈａｌｆ−ｄｕｐｌｅｘ）モードで動作できる。例えば、帯域内ＲＮは、特定時間スロット（又はサブフレーム）でバックホールアップリンク信号を送信し、これと異なる時間スロット（又はサブフレーム）でアクセスアップリンク信号を受信すればよい。言い換えると、バックホールリンク及びアクセスリンクの送信／受信は、時分割多重化（ＴＤＭ）方式で多重化できる。
【発明の概要】
【発明が解決しようとする課題】
【０００６】
前述したように、ＲＮは、殆どの場合、同一周波数帯域上で同時に受信及び送信を行うことができない。これは、ＲＮの動作において同時送受信機能は、高い複雑性が必要であり、設置コストがかさむことがあるためである。
【０００７】
半２重（ｈａｌｆ−ｄｕｐｌｅｘ）ＲＮの動作において、同一周波数帯域上で特定時間スロット（又はサブフレーム）で、バックホールアップリンク送信とアクセスアップリンク受信との間に（又は、アクセスダウンリンク送信とバックホールダウンリンク受信との間に）衝突（ｃｏｎｆｌｉｃｔ）が発生することがある。半２重ＲＮは、送信モード又は受信モードになっていなければならず、バックホールリンク送信（又は受信）及びアクセスリンク受信（又は送信）の両者が同一時間スロットでスケジュールされる場合には、衝突解決方法が必要である。
【０００８】
したがって、本発明は、ＲＮの優先順位付け動作の方法に関するもので、従来技術における制約及び難点に起因する一つ以上の問題を実質的に解決できる。
【０００９】
本発明は、バックホールリンク／アクセスリンク送信／受信動作の優先順位を判定する方法及び装置を提供することによって、リソースを効率よく用いることを目的とする。
【００１０】
本発明は、バックホールリンク／アクセスリンク送信／受信動作の優先順位を判定する方法及び装置を提供することによって、遅延及び／又は再送信を減少させることを他の目的とする。
【００１１】
本発明は、バックホールリンク／アクセスリンク送信／受信動作の優先順位を判定する方法及び装置を提供することによって、信号の損失を防止することを更に他の目的とする。
【００１２】
本発明の達成しようとする技術的課題は、以上に言及した技術的課題に制限されるものではなく、言及していない別の技術的課題は、下の記載から、本発明の属する技術の分野における通常の知識を有する者には明確に理解されるであろう。
【課題を解決するための手段】
【００１３】
上記技術的課題を解決するための、中継器における優先順位付け動作の方法及び装置の好適な実施例が、以下に説明される。
【００１４】
本発明の一様相において、無線通信システムの中継器においてアップリンク信号の送信及び受信を優先順位付けする方法が開示される。該方法は、一つ以上のアクセスリンク信号を受信するため及び／又は一つ以上のバックホールリンク信号を送信するための無線リソース要件を判定する段階と、無線リソースにおいてスケジュールされる一つ以上のアクセスリンク信号のそれぞれ及び／又は一つ以上のバックホールリンク信号のそれぞれの信号タイプを判定する段階と、一つ以上のアクセス信号を受信するため及び／又は一つ以上のバックホールリンク信号を送信するための無線リソース要件と、無線リソースにおいてスケジュールされる一つ以上のアクセスリンク信号のそれぞれ及び／又は一つ以上のバックホールリンク信号のそれぞれの信号タイプとに基づいて、送信モード動作及び受信モード動作のうちの一つを選択する段階と、を含むことができる。
【００１５】
一特徴として、一つ以上のアクセスリンク信号を受信するための無線リソース要件を判定する段階は、送信時間間隔の間に、一つ以上のアクセスリンク信号を受信するためのアクセスリンク使用を測定する段階を含むことができる。
【００１６】
他の特徴として、一つ以上のバックホールリンク信号を送信するための無線リソース要件を判定する段階は、バックホール制御タイプ２信号に対するフィードバック／送信周期を判定する段階を含むことができる。
【００１７】
さらに他の特徴として、一つ以上のアクセスリンク信号及び／又は一つ以上のバックホールリンク信号は、データ信号、制御タイプ１信号、及び制御タイプ２信号のうちの一つ以上でよい。
【００１８】
さらに他の特徴として、上記方法は、一つ以上のアクセス信号を受信するため及び／又は一つ以上のバックホールリンク信号を送信するための無線リソース要件と、無線リソースにおいてスケジュールされる一つ以上のアクセスリンク信号のそれぞれ及び／又は一つ以上のバックホールリンク信号のそれぞれの信号タイプとに基づいて、一つ以上のアクセスリンク信号を受信する段階、又は一つ以上のバックホールリンク信号を送信する段階を更に含むことができる。
【００１９】
本発明の他の様相において、無線通信システムの中継器が開示される。該中継器は、受信モジュールと、送信モジュールと、受信モジュール及び送信モジュールと通信するプロセッサと、を含み、プロセッサは、受信モジュールを介して一つ以上のアクセスリンク信号を受信するため及び／又は送信モジュールを介して一つ以上のバックホールリンク信号を送信するための無線リソース要件を判定し、無線リソースにおいてスケジュールされる一つ以上のアクセスリンク信号のそれぞれ及び／又は一つ以上のバックホールリンク信号のそれぞれの信号タイプを判定し、一つ以上のアクセス信号を受信するため及び／又は一つ以上のバックホールリンク信号を送信するための無線リソース要件、及び無線リソースにおいてスケジュールされる一つ以上のアクセスリンク信号のそれぞれ及び／又は一つ以上のバックホールリンク信号のそれぞれの信号タイプに基づいて、送信モード動作及び受信モード動作のうちの一つを選択するように構成されるとよい。
【００２０】
一特徴として、プロセッサは、送信時間間隔の間に、一つ以上のアクセスリンク信号を受信するためのアクセスリンク使用を測定するように構成された計算モジュールを更に含み、プロセッサは、測定された一つ以上のアクセスリンク信号を受信するためのアクセスリンク使用に基づき、一つ以上のアクセスリンク信号を受信するための無線リソース要件を判定できる。
【００２１】
他の特徴として、プロセッサは、少なくとも一つのバックホール制御２信号に対するフィードバック／送信周期を判定するように構成された計算モジュールを更に含み、プロセッサは、バックホール制御２信号に対するフィードバック／送信周期に基づき、一つ以上のバックホールリンク信号を送信するための無線リソース要件を判定できる。
【００２２】
さらに他の特徴として、一つ以上のアクセスリンク信号及び／又は一つ以上のバックホールリンク信号は、データ信号、制御タイプ１信号、及び制御タイプ２信号のうちの一つ以上でよい。
【００２３】
さらに他の特徴として、プロセッサは、一つ以上のアクセス信号を受信するため及び／又は一つ以上のバックホールリンク信号を送信するための無線リソース要件と、無線リソースにおいてスケジュールされる一つ以上のアクセスリンク信号のそれぞれ及び／又は一つ以上のバックホールリンク信号のそれぞれの信号タイプとに基づき、一つ以上のアクセスリンク信号を受信するように受信モジュールを制御したり、一つ以上のバックホールリンク信号を送信するように送信モジュールを制御したりするように構成された制御モジュールを更に含むことができる。
【００２４】
本発明について前述した一般的な説明と後述する詳細な説明は、例示的なもので、請求項に記載の発明についての更なる説明のためのものである。
【発明の効果】
【００２５】
本発明の実施例によれば、下記の効果が得られる。
【００２６】
中継器のバックホールリンク／アクセスリンク送信／受信動作において、リソースが效率よく用いられ、遅延が減少し、再送信が減少し、信号の損失が防止できる。
【００２７】
本発明で得られる効果は、以上に言及した効果に制限されるものではなく、言及していない他の効果は、下の記載から、本発明の属する技術の分野における通常の知識を有する者には明らかになるであろう。
【００２８】
本明細書に添付した図面は、本発明の理解を提供するためのもので、本発明の種々の実施形態を示し、明細書の記載と共に本発明の原理を説明するためのものである。
【図面の簡単な説明】
【００２９】
【図１】無線通信システムを示す図である。
【図２】ｅＮＢとＲＮとのリンク、及びＲＮとＵＥとのリンクを示す図である。
【図３】無線フレームの構造を示す図である。
【図４】１ダウンリンクスロットに対するリソースグリッド（ｒｅｓｏｕｒｃｅ  ｇｒｉｄ）を示す図である。
【図５】ダウンリンクサブフレームの構造を示す図である。
【図６】アップリンクサブフレームの構造を示す図である。
【図７】本発明の一実施例に係るＲＮ動作を示すフローチャートである。
【図８】本発明の他の実施例に係るＲＮ動作を示すフローチャートである。
【図９】本発明の更に他の実施例に係るＲＮ動作を示すフローチャートである。
【図１０】本発明の更に他の実施例に係るＲＮ動作を示すフローチャートである。
【図１１】本発明の更に他の実施例に係るＲＮ動作を示すフローチャートである。
【図１２】本発明の一実施例に係るＲＮの構成を示す図である。
【発明を実施するための形態】
【００３０】
本発明の好適な実施例の具体的な内容について以下に説明し、その例示は、添付の図面に示す。図面中、同一／類似の構成要素には同一の図面符号を付する。
【００３１】
以降、本発明の実施例は、ＲＮにおける優先順位付け動作のための方法及び装置を開示する。
【００３２】
下記の実施例は、本発明の構成要素及び特徴を所定の形態に結合したものである。各構成要素又は特徴は、別の明示的な言及がない限り、選択的なものとして考慮すればよい。各構成要素又は特徴は、他の構成要素や特徴と結合しない形態で実施してもよい。また、一部の構成要素及び／又は特徴を結合して本発明の実施例を構成してもよい。本発明の実施例で説明される動作の順序は変更可能である。ある実施例の一部構成や特徴は、他の実施例に含まれてもよく、他の実施例の対応する構成又は特徴に置き換えてもよい。
【００３３】
図面についての説明において、本発明の要旨を曖昧にする手順又は段階は省く他、当業者のレベルで理解できるような手順又は段階についても説明を省略する。ただし、省略した手順又は段階は、当業者には自明な範囲内で理解されるであろう。
【００３４】
本発明の実施例は、基地局と中継器との間の信号送受信、及び中継器と移動局との間の信号送受信に基づいて説明される。
【００３５】
ここで、基地局は、移動局と直接的に通信を行うネットワークの終端ノード（ｔｅｒｍｉｎａｌ  ｎｏｄｅ）を意味する。本明細書において基地局によって行われるとした特定動作は、場合によっては、基地局の上位ノードによって行われてもよい。
【００３６】
すなわち、基地局を含む多数のネットワークノードからなるネットワークにおいて端末との通信のために行われる種々の動作は、基地局又はその他のネットワークノードで行われうるということは明らかである。基地局（ＢＳ）は、固定局、ノードＢ、ｅノードＢ（ｅＮＢ）、高度基地局（ＡＢＳ）及びアクセスポイント（ＡＰ）などの用語で代替可能である。中継器（ＲＮ）は、リレー及び中継局（ＲＳ）などの用語に代替可能である。また、移動機（ＭＳ）は、ユーザ装置（ＵＥ）、加入者局（ＳＳ）、移動体通信加入者局（ＭＳＳ）、携帯端末、高度移動機（ＡＭＳ）などの用語に代替可能である。
【００３７】
また、送信端は、データサービス又は音声サービスを提供する固定及び／又は移動ノードを意味し、受信端は、データサービス又は音声サービスを受信する固定及び／又は移動ノードを意味する。したがって、アップリンクでは、移動局が送信端であり、基地局が受信端であってよい。同様に、ダウンリンクでは、移動局が受信端であり、基地局が送信端であってよい。
【００３８】
本発明の実施例は、無線接続システムである米国電気電子学会（ＩＥＥＥ）８０２．ｘｘシステム、第3世代パートナシッププロジェクト（３ＧＰＰ）システム、３ＧＰＰ長期進化（ＬＴＥ）システム、高度ＬＴＥ（ＬＴＥ−Ａ）システム及び３ＧＰＰ２システムの少なくとも一つに開示された標準文書によってサポートされる。すなわち、本発明の実施例において、本発明の技術的思想を明確にするために説明を省略した段階又は部分は、これらの文書によってサポートされる。
【００３９】
また、本文書で開示している用語はいずれも上記の標準文書によって説明される。特に、本発明の実施例は、３ＧＰＰ  ＬＴＥ（リリース８又はリリース９）及び３ＧＰＰ  ＬＴＥ−Ａの標準文書の一つ以上によってサポートされる。
【００４０】
以下、本発明の好適な実施例を、添付の図面を参照しつつ詳細に説明する。添付の図面と共に以下に開示される詳細な説明は、本発明の例示的な実施例を説明するためのもので、本発明が実施されうる唯一の実施例を示すものではない。
【００４１】
以下の本発明の実施例で使われる特定の用語は、本発明の理解を助けるためのものであり、本発明の技術的思想を逸脱しない範囲で種々の変更が可能である。
【００４２】
ここで説明する技術、装置及びシステムは、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送波周波数分割多元接続（ＳＣ−ＦＤＭＡ）などのような種々の無線接続システムに用いることができる。ＣＤＭＡは、汎用地上無線接続（ＵＴＲＡ）又はＣＤＭＡ２０００のような無線技術によって実現することができる。ＴＤＭＡは、世界移動体通信システム（ＧＳＭ）／一般パケット無線サービス（ＧＰＲＳ）／ＧＳＭ進化用強化データ速度（ＥＤＧＥ）のような無線技術によって実現することができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２．２０、進化ＵＴＲＡ（Ｅ−ＵＴＲＡ）などのような無線技術によって実現することができる。ＵＴＲＡは、汎用移動体通信システム（ＵＭＴＳ）の一部である。３ＧＰＰ  ＬＴＥは、Ｅ−ＵＴＲＡを用いるＥ−ＵＭＴＳ（Ｅｖｏｌｖｅｄ  ＵＭＴＳ）の一部で、ダウンリンクにＯＦＤＭＡを採用し、アップリンクにＳＣ−ＦＤＭＡを採用する。ＬＴＥ−Ａは、３ＧＰＰ  ＬＴＥの進化型システムである。ＷｉＭＡＸは、ＩＥＥＥ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び発展したＩＥＥＥ８０２．１６ｍ規格（ＷｉｒｅｌｅｓｓＭＡＮ−ＯＦＤＭＡ  Ａｄｖａｎｃｅｄ  ｓｙｓｔｅｍ）によって説明される。明確性のために、以下では３ＧＰＰ  ＬＴＥ及びＬＴＥ−Ａ標準を中心に説明するが、本発明の技術的思想がこれに制限されるものではない。
【００４３】
図３は、３ＧＰＰ  ＬＴＥシステムにおける無線フレームの構造を示す図である。
【００４４】
図３で、無線フレームは、１０個のサブフレームを含む。１サブフレームは、時間ドメインで２個のスロットを含む。１サブフレームを送信するための時間は、送信時間間隔（ＴＴＩ）と定義される。例えば、１サブフレームは１ミリ秒（ｍｓ）の長さを有することができ、１スロットは、０．５ｍｓの長さを有することができる。１スロットは、時間ドメインで複数個の直交周波数分割多重化（ＯＦＤＭ）シンボルを含むことができる。３ＧＰＰ  ＬＴＥは、ダウンリンクにＯＦＤＭＡを用いるため、ＯＦＤＭシンボルは１シンボル区間を表す。ＯＦＤＭシンボルは、ＳＣ−ＦＤＭＡシンボル又はシンボル区間とも呼ばれる。リソースブロック（ＲＢ）は、リソース割当単位であり、１スロットで複数個の連続する副搬送波を含むことができる。無線フレームの構造は例示的である。したがって、無線フレームに含まれるサブフレームの個数、サブフレームに含まれるスロットの個数、又はスロットに含まれるＯＦＤＭシンボルの個数は、種々に変更してもよい。
【００４５】
図４は、１ダウンリンクスロットに対するリソースグリッドを示す図である。
【００４６】
図４で、ダウンリンクスロットは、時間ドメインで複数個のＯＦＤＭシンボルを含む。ここでは、１ダウンリンクスロットが７個のＯＦＤＭシンボルを含み、１リソースブロックが周波数ドメインにおいて１２個の副搬送波を含むとして説明する。ただし、本発明がこれに制限されるものではない。リソースグリッドにおけるそれぞれの要素をリソース要素（ＲＥ）と呼んでもよい。１ＲＢは、１２×７リソース要素を含む。ダウンリンクスロットに含まれるＮDL個のＲＢは、ダウンリンク送信帯域幅によって判定される。アップリンクスロットの構造は、ダウンリンクスロットの構造と同一でよい。
【００４７】
図５は、ダウンリンクサブフレームの構造を示す図である。
【００４８】
図５で、一つのサブフレームの１番目のスロットの先頭部に位置する最大３個のＯＦＤＭシンボルは、制御チャネルの割り当てられる制御領域に対応する。残りのＯＦＤＭシンボルは、物理ダウンリンク共有チャネル（ＰＤＳＣＨ）の割り当てられるデータ領域に対応する。３ＧＰＰ  ＬＴＥで用いられるダウンリンク制御チャネルは、例えば、物理制御フォーマット指示子チャネル（ＰＣＦＩＣＨ）、物理ダウンリンク制御チャネル（ＰＤＣＣＨ）、物理ハイブリッドＡＲＱ指示子チャネル（ＰＨＩＣＨ）などを含むことができる。ＰＣＦＩＣＨは、サブフレームの１番目のＯＦＤＭシンボルで送信され、そのサブフレームの制御チャネルの送信に用いられるＯＦＤＭシンボルの個数に関する情報を運ぶ。ＰＨＩＣＨは、アップリンク送信に対する応答であり、ＨＡＲＱ肯定応答（ＡＣＫ）／否定応答（ＮＡＣＫ）信号を搬送する。ＰＤＣＣＨを通じて送信される制御情報は、ダウンリンク制御情報（ＤＣＩ）と呼ばれる。ＤＣＩは、アップリンク又はダウンリンクスケジュール情報を含むか、又は、特定端末グループに対するアップリンク送信電力制御命令を含む。
【００４９】
ＰＤＣＣＨは、ダウンリンク−共有チャネル（ＤＬ−ＳＣＨ）の送信フォーマット及びリソース割当、アップリンク−共有チャネル（ＵＬ−ＳＣＨ）のリソース割当情報、ページングチャネル（ＰＣＨ）上のページング情報、ＤＬ−ＳＣＨ上のシステム情報、ＰＤＳＣＨ上で送信されるランダムアクセス応答のような上位層リソース割当、特定端末グループ内の個別端末に対する送信電力制御命令集合、送信電力制御命令、ＩＰ電話サービス（ＶｏＩＰ）の活性化などの情報を搬送することができる。複数個のＰＤＣＣＨを制御領域内で送信できる。端末は、複数個のＰＤＣＣＨを監視できる。ＰＤＣＣＨは、一つ又は複数個の連続した制御チャネル要素（ＣＣＥ）の組合せで送信される。ＣＣＥは、ＰＤＣＣＨに無線チャネルの状態に基づくコーディングレートを提供する論理的な割当単位である。ＣＣＥは、複数個のリソース要素グループに対応する。ＰＤＣＣＨのフォーマット及び利用可能なＰＤＣＣＨのビット数は、ＣＣＥの個数とＣＣＥによって提供されるコーディングレートとの関係によって判定される。基地局は、端末に送信されるＤＣＩによってＰＤＣＣＨフォーマットを判定し、制御情報に巡回冗長検査ビット（ＣＲＣ）を付加する。ＣＲＣは、ＰＤＣＣＨの所有者又は用途に応じて一意の識別子（無線ネットワーク臨時識別子（ＲＮＴＩ）によってマスクされる。ＰＤＣＣＨが特定ＵＥに対するものであれば、ＵＥに対する一意の識別子（例えば、セル−ＲＮＴＩ（Ｃ−ＲＮＴＩ））がＣＲＣをマスクしてもよい。又は、ＰＤＣＣＨがページングメッセージに対するものであれば、ページング指示子識別子（例えば、ページング−ＲＮＴＩ（Ｐ−ＲＮＴＩ））がＣＲＣをマスクしてもよい。ＰＤＣＣＨがシステム情報（具体的には、システム情報ブロック（ＳＩＢ））に対するものであれば、システム情報識別子及びシステム情報ＲＮＴＩ（ＳＩ−ＲＮＴＩ）がＣＲＣをマスクしてもよい。ＵＥのランダムアクセスプリアンブルの送信に対する応答であるランダムアクセス応答を指示するために、ランダムアクセス−ＲＮＴＩ（ＲＡ−ＲＮＴＩ）がＣＲＣをマスクしてもよい。
【００５０】
図６は、アップリンクサブフレームの構造を示す図である。
【００５１】
図６で、アップリンクサブフレームは、周波数ドメインで制御領域とデータ領域とに区別できる。制御領域には、アップリンク制御情報を搬送する物理アップリンク制御チャネル（ＰＵＣＣＨ）が割り当てられる。データ領域には、ユーザデータを搬送する物理アップリンク共有チャネル（ＰＵＳＣＨ）が割り当てられる。単一搬送波特性を維持するために、一つのＵＥは、ＰＵＣＣＨとＰＵＳＣＨを同時に送信しない。一つのＵＥに対するＰＵＣＣＨは、一つのサブフレームでＲＢ対に割り当てられる。ＲＢ対に属するＲＢは、対応する２個のスロットにおいて別個の副搬送波を占める。これを、ＰＵＣＣＨの割り当てられるＲＢ対がスロット境界において周波数ホップしていると表現できる。
【００５２】
図１を再び参照すると、ＲＮ  １２０はセルを制御でき、セルのそれぞれは、中継器ＵＥ  １３２にとっては、ドナーセル（基地局１１０）と区別される別個のセルと見なされ、一意の物理層識別情報を有し、一般ｅＮＢと同じ無線リソース管理（ＲＲＭ）メカニズムを有するため、ＲＮ  １２０は、特定中継器端末（特に、３ＧＰＰ  ＬＴＥリリース８端末）にとっては一般ｅＮＢと見なされる。そのため、ダウンリンク及びアップリンクチャネルについて前述した一般的な説明が、アクセスリンク（ＲＮと中継器ＵＥとの間の無線リンク）に適用されることがある。
【００５３】
一方、バックホールリンク（ｅＮＢとＲＮとの間の無線リンク）は、前述と類似のサブフレーム構造を提供できる。バックホールダウンリンク及びアップリンク物理チャネルは、ＰＤＣＣＨ、ＰＤＳＣＨ、ＰＵＣＣＨ及びＰＤＳＣＨを含むことができる。例えば、ＲＮに対するＰＤＣＣＨは、バックホールダウンリンクデータのためのリソースを割り当てたり、バックホールアップリンクデータのためのリソースを割り当てたりするために用いられる。バックホールリンク物理チャネルをアクセスリンク物理チャネルと区別するために、ＲＮに対するチャネルを、Ｒチャネル（中継器チャネル）と呼んでもよい。Ｒチャネルは、ｅＮＢとマクロＵＥとの間のチャネルと違い、バックホールリンクチャネルに対して最適化したチャネル構造を有するように設計してもよい。例えば、ＲＮに対するＰＤＣＣＨ（バックホールダウンリンク上のＰＤＣＣＨ）は、Ｒ−ＰＤＣＣＨ（中継器−ＰＤＣＣＨ）と呼んでもよく、そのチャネル構造は、ｅＮＢからマクロＵＥに送信されるＰＤＣＣＨのチャネル構造とは違い、バックホールリンクチャネルに対して最適化してもよい。同様に、ＲＮに対するＰＤＳＣＨ、ＲＮに対するＰＵＣＣＨ及びＲＮに対するＰＵＳＣＨはそれぞれ、Ｒ−ＰＤＳＣＨ、Ｒ−ＰＵＣＣＨ及びＲ−ＰＵＳＣＨと呼んでもよい。
【００５４】
前述したように、半２重ＲＮの動作において、バックホールアップリンク送信とアクセスアップリンク受信（又は、アクセスダウンリンク送信及びバックホールダウンリンク受信）とが同一周波数帯域で同時に行われてはならない。そのため、半２重ＲＮは、特定周波数帯域において特定時間スロット（又はサブフレーム）において送信モードで動作しているか、又は、受信モードで動作していなければならない。また、同一時間スロットにおいてバックホールリンク送信（又は受信）及びアクセスリンク受信（又は送信）の両方がスケジュールされた場合に、バックホールリンク信号又はアクセスリンク信号のいずれを送信／受信するかを判定する衝突解決方法が必要である。
【００５５】
本発明の種々の実施例によれば、前述したようなＲＮの送信モード及び受信モード間の衝突に対する解決方法が提供される。ＲＮの送信モード又は受信モードは、送／受信される信号をそれらの属性（ｐｒｏｐｅｒｔｉｅｓ）に基づいて優先順位を付けて処理（ｐｒｉｏｒｉｔｉｚｉｎｇ）することによって判定することができる。信号の属性は、信号の方向（すなわち、バックホールリンク又はアクセスリンク）及び信号の内容（すなわち、データ又は制御信号）を含むことができる。ＲＮは、特定周波数帯域において特定時間スロット（又はサブフレーム）において、送信モード又は受信モードで動作する。したがって、半２重ＲＮは、送／受信される信号の最高の優先順位に従って送信モード又は受信モードで動作でき、これによって、前述した衝突が解決できる。
【００５６】
ＲＮ動作において、アップリンク信号は、信号の方向によって２個のグループ、すなわち、（１）ＲＮからｅＮＢへの「バックホール」アップリンク、及び（２）中継器ＵＥからＲＮへの「アクセス」アップリンクに分類できる。また、アップリンク信号は、信号の内容によって３タイプ、すなわち、（１）ＰＵＳＣＨ及び中継器−ＰＵＳＣＨ（Ｒ−ＰＵＳＣＨ）のような「データ」、（２）ＡＣＫ／ＮＡＣＫ及びスケジュール要求（ＳＲ）のようなデータ送信及びスケジュール判定に関連する「制御１」、及び（３）チャネル状態情報（ＣＳＩ）フィードバック及びサウンディング参照信号（ＳＲＳ）のようなチャネル状態情報に関連する「制御２」に分類できる。
【００５７】
前述のような信号の分類によれば、本発明の種々の実施例において優先順位を付ける規則は下記のように判定できる。
【００５８】
（１）バックホールリンク信号がアクセスリンク信号よりも高い優先順位を有する。規則（１）は、バックホールリンクリソースが他のＲＮ及びマクロＵＥに共有されなければならず、多くの場合において、バックホールリンクリソースが中継器システム性能のボトルネックとなることを考慮したものである。
【００５９】
（２）データ信号（ＰＵＳＣＨ及びＲ−ＰＵＳＣＨ）は、制御信号（例えば、ＡＣＫ／ＮＡＣＫ、ＳＲ、ＣＳＩフィードバック、ＳＲＳなど）よりも高い優先順位を有し、これは、データ信号が制御信号に比べてより多いリソースを要求するのが一般的であるためである。
【００６０】
（３）制御１（ＡＣＫ／ＮＡＣＫ及び／又はＳＲ）は、制御２（ＣＳＩフィードバック及び／又はＳＲＳ）よりも高い優先順位を有し、これは、制御１がデータ信号に直接関連するものであり、制御１が失われると、不要な再送信及び／又はスケジュール遅延が生じることにつながるためである。
【００６１】
（４）一つの信号に一つの更なる信号が組み合わされた（又は多重化された）場合に、それらの構成要素信号のうち、最高の優先順位が組み合わされた信号に優先順位が付けられる。例えば、バックホールデータ（Ｒ−ＰＵＳＣＨ）及びバックホールＣＳＩフィードバックが一つのサブフレームに共に多重化される場合に、バックホールデータ（すなわち、より高い優先順位を有する信号）の優先順位が、多重化された信号の優先順位として適用される。
【００６２】
（５）他に優先順位規則がないときは、バックホール又はアクセスデータが再送信される場合にも、上の規則が同様に適用される。
【００６３】
本発明の種々の実施例についての後述の説明において、説明の明瞭性のために、アップリンク信号の優先順位を付けて処理する方法が主に述べられるが、本発明がこれに制限されるものではない。アップリンク信号の優先順位を付ける原理及び基準が、ダウンリンク信号の優先順位を付ける場合にも同様に適用可能であるということは明らかである。
【００６４】
実施例１
本実施例１は、信号の優先順位を下記のように定義する。
バックホールデータ＞バックホール制御１＞アクセスデータ＞アクセス制御１＞バックホール制御２＞アクセス制御２
【００６５】
ＲＮは、与えられた任意のサブフレームで送信及び／又は受信するようにスケジュールされる種々の信号を有することができる。ＲＮは、上のような優先順位に従って、スケジュールされた信号の優先順位を判定することができる。このような優先順位定義によれば、ＲＮは、特定時間スロット（又はサブフレーム）での自身の動作モードを明確に判定でき、同一周波数帯域におけるバックホールアップリンク送信及びアクセスアップリンク送信間の衝突を起こさずにすむ。
【００６６】
具体的に、バックホールデータ信号（すなわち、Ｒ−ＰＵＳＣＨ）は、最高の優先順位を有する。そのため、中継器ＵＥのためのＰＵＳＣＨ送信がスケジュールされたサブフレームで、ＲＮが中継器−ＰＤＣＣＨ（Ｒ−ＰＤＣＣＨ）を通じてアップリンク（ＵＬ）バックホール許可を受信する場合に、ＲＮはＰＵＳＣＨ受信を無視したまま、Ｒ−ＰＤＣＣＨによってＲ−ＰＵＳＣＨを送信する。
【００６７】
バックホール制御１（すなわち、バックホールＡＣＫ／ＮＡＣＫ及び／又はＳＲ）は、他のいずれのアクセスリンク信号よりも高い優先順位を有するが、バックホール制御２（すなわち、バックホールＣＳＩフィードバック及び／又はＳＲＳ）は、アクセスデータ（ＰＵＳＣＨ）及びアクセス制御１（アクセスＡＣＫ／ＮＡＣＫ及びＳＲ）よりも低い優先順位を有する。したがって、従属した中継器ＵＥがアクセスリンクＡＣＫ／ＮＡＣＫを送信するサブフレームにおいて、ＲＮがバックホールＣＳＩフィードバックを送信するようにスケジュールされる場合、Ｒ−ＰＵＳＣＨ、バックホールＡＣＫ／ＮＡＣＫ、又はバックホールＳＲがそのサブフレームでバックホールＣＳＩフィードバックと共にスケジュールされないと、ＲＮは、バックホール送信を無視したままアクセスリンクＡＣＫ／ＮＡＣＫを受信する。
【００６８】
本実施例におけるＲＮの動作を、下記の表１のように整理できる。
【表１】
0005544013.tif 000002
【００６９】
表１で、‘Ｘ’は、与えられたサブフレームでスケジュールされていない信号を表し、‘Ｏ’は、そのサブフレームでスケジュールされた信号を表す。一方、‘−’は、考慮されていない信号を表す。例えば、１−（６）では、あるサブフレームにアクセスデータがスケジュールされていると、アクセス制御１及び／又はアクセス制御２のスケジュール状態にかかわらず、アクセスデータが受信される。この動作は、上記の規則（４）に関連するものである。具体的に、与えられたサブフレームでバックホール制御２（例えば、バックホールＣＳＩフィードバック）がスケジュールされる場合に、そのサブフレームでアクセス制御２（例えば、アクセスＣＳＩフィードバック）単独でスケジュールされていると、ＲＮはアクセス制御２の受信を無視するが、そのサブフレームでアクセス制御２がアクセスデータ（例えば、ＰＵＳＣＨ）と一緒に多重化されると、ＲＮは、多重化されたアクセス信号を受信し、バックホール制御２を送信しない。
【００７０】
また、‘ＲＸ’は、ＲＮの受信モード（すなわち、アクセスアップリンク信号の受信）を意味し、‘ＴＸ’は、ＲＮの送信モード（すなわち、バックホールアップリンク信号の送信）を意味する。例えば、１−（４）の場合に、ＲＮはバックホール制御２信号を送信する。１−（５）の場合に、アクセス制御２にかかわらず、ＲＮはアクセス制御１信号を受信する。
【００７１】
図７は、本実施例１に係るＲＮ動作のフローチャートである。
【００７２】
与えられた無線リソース（与えられた周波数帯域上の与えられたサブフレーム）でＲＮは送信及び／又は受信する様々な信号を有するため、受信及び／又は送信のための無線リソースの判定が行われる。そして、スケジュールされた信号の優先順位を判定するために、与えられた無線リソースにおいてスケジュールされた送信／受信信号のそれぞれのタイプを判定することが行われる。
【００７３】
まず、与えられた無線リソースにおいてバックホールデータの信号タイプがスケジュールされたか否か判定する（Ｓ７０１）。与えられた無線リソースにおいてバックホールデータの信号タイプがスケジュールされているときは、ＲＮは、当該無線リソースにおいてＴＸモードで動作する（Ｓ７０２）。
【００７４】
与えられた無線リソースにおいてバックホールデータの信号タイプがスケジュールされていないときは、与えられた無線リソースにおいてバックホール制御１の信号タイプがスケジュールされたか否か判定する（Ｓ７０３）。与えられた無線リソースにおいてバックホール制御１の信号タイプがスケジュールされているときは、ＲＮは、当該無線リソースにおいてＴＸモードで動作する（Ｓ７０４）。
【００７５】
与えられた無線リソースにおいてバックホール制御１の信号タイプがスケジュールされていないときは、与えられた無線リソースにおいてアクセスデータの信号タイプがスケジュールされたか否か判定する（Ｓ７０５）。与えられた無線リソースにおいてアクセスデータの信号タイプがスケジュールされているときは、ＲＮは当該無線リソースにおいてＲＸモードで動作する（Ｓ７０６）。
【００７６】
与えられた無線リソースにおいてアクセスデータの信号タイプがスケジュールされていないときは、与えられた無線リソースにおいてアクセス制御１の信号タイプがスケジュールされたか否か判定する（Ｓ７０７）。与えられた無線リソースにおいてアクセス制御１の信号タイプがスケジュールされているときは、ＲＮは当該無線リソースにおいてＲＸモードで動作する（Ｓ７０８）。
【００７７】
与えられた無線リソースにおいてアクセス制御１の信号タイプがスケジュールされていないときは、与えられた無線リソースにおいてバックホール制御２の信号タイプがスケジュールされたか否か判定する（Ｓ７０９）。与えられた無線リソースにおいてバックホール制御２の信号タイプがスケジュールされているときは、ＲＮは当該無線リソースにおいてＴＸモードで動作する（Ｓ７１０）。
【００７８】
与えられた無線リソースにおいてバックホール制御２の信号タイプがスケジュールされていないときは、与えられた無線リソースにおいてアクセス制御２の信号タイプがスケジュールされたか否か判定する（Ｓ７１１）。与えられた無線リソースにおいてアクセス制御２の信号タイプがスケジュールされているときは、ＲＮは当該無線リソースにおいてＲＸモードで動作する（Ｓ７１２）。
【００７９】
与えられた無線リソースにおいてアクセス制御２の信号タイプがスケジュールされていないときは、ＲＮは、与えられた無線リソースにおいての信号優先順位付け動作を終了できる。
【００８０】
実施例２
本実施例２は、信号の優先順位を、下記のように定義する。
バックホールデータ＞アクセスデータ＞バックホール制御１＞アクセス制御１＞バックホール制御２＞アクセス制御２
【００８１】
本実施例２において、アクセスデータ信号（すなわち、ＰＵＳＣＨ）は、バックホール制御１（すなわち、バックホールＡＣＫ／ＮＡＣＫ及び／又はＳＲ）に比べて高い優先順位を有する。そのため、従属した中継器ＵＥがアクセスリンクＰＵＳＣＨを送信するサブフレームで、ＲＮがバックホールＡＣＫ／ＮＡＣＫ及び／又はＳＲを送信するようにスケジュールされる場合、Ｒ−ＰＵＳＣＨ（バックホールデータ信号）がそのサブフレームでバックホール制御１と共にスケジュールされないときは、ＲＮはバックホール送信を無視したままアクセスリンクＰＵＳＣＨを受信する。
【００８２】
本実施例の優先順位手法によれば、ＲＮは、特定時間スロット（又はサブフレーム）での自身の動作モードを明確に判定でき、同一周波数帯域におけるバックホールアップリンク送信及びアクセスアップリンク送信間の衝突を起こさずにすむ。
【００８３】
本実施例におけるＲＮの動作を、下記の表２のように整理できる。
【表２】
0005544013.tif 000003
【００８４】
ＲＮがバックホール制御１を送信するＴＸモードで動作する実施例１における表１の１−（９）と比較して、本実施例２における表２の２−（９）では、ＲＮはアクセスデータを受信するＲＸモードで動作する。
【００８５】
図８は、本実施例２に係るＲＮ動作のフローチャートである。
【００８６】
与えられた無線リソース（与えられた周波数帯域で与えられたサブフレーム）において、ＲＮは、送信及び／又は受信する種々の信号を有するため、受信及び／又は送信のための無線リソースの判定が行われる。そして、スケジュールされた信号の優先順位を判定するために、与えられた無線リソースにおいてスケジュールされた送信／受信信号のそれぞれのタイプを判定することが行われる。
【００８７】
まず、与えられた無線リソースにおいてバックホールデータの信号タイプがスケジュールされたか否か判定する（Ｓ８０１）。与えられた無線リソースにおいてバックホールデータの信号タイプがスケジュールされているときは、ＲＮは該当無線リソースにおいてＴＸモードで動作する（Ｓ８０２）。
【００８８】
与えられた無線リソースにおいてバックホールデータの信号タイプがスケジュールされていないときは、与えられた無線リソースにおいてアクセスデータの信号タイプがスケジュールされたか否か判定する（Ｓ８０３）。与えられた無線リソースにおいてアクセスデータの信号タイプがスケジュールされているときは、ＲＮは、当該無線リソースにおいてＲＸモードで動作する（Ｓ８０４）。
【００８９】
与えられた無線リソースにおいてアクセスデータの信号タイプがスケジュールされていないと、与えられた無線リソースにおいてバックホール制御１の信号タイプがスケジュールされたか否か判定する（Ｓ８０５）。与えられた無線リソースにおいてバックホール制御１の信号タイプがスケジュールされていると、ＲＮは当該無線リソースにおいてＴＸモードで動作する（Ｓ８０６）。
【００９０】
与えられた無線リソースにおいてバックホール制御１の信号タイプがスケジュールされていないときは、与えられた無線リソースにおいてアクセス制御１の信号タイプがスケジュールされたか否か判定する（Ｓ８０７）。与えられた無線リソースにおいてアクセス制御１の信号タイプがスケジュールされているときは、ＲＮは当該無線リソースにおいてＲＸモードで動作する（Ｓ８０８）。
【００９１】
与えられた無線リソースにおいてアクセス制御１の信号タイプがスケジュールされていないときは、与えられた無線リソースにおいてバックホール制御２の信号タイプがスケジュールされたか否か判定する（Ｓ８０９）。与えられた無線リソースにおいてバックホール制御２の信号タイプがスケジュールされているときは、ＲＮは当該無線リソースにおいてＴＸモードで動作する（Ｓ８１０）。
【００９２】
与えられた無線リソースにおいてバックホール制御２の信号タイプがスケジュールされていないときは、与えられた無線リソースにおいてアクセス制御２の信号タイプがスケジュールされたか否か判定する（Ｓ８１１）。与えられた無線リソースにおいてアクセス制御２の信号タイプがスケジュールされているときは、ＲＮは当該無線リソースにおいてＲＸモードで動作する（Ｓ８１２）。
【００９３】
与えられた無線リソースにおいてアクセス制御２の信号タイプがスケジュールされていないときは、ＲＮは、与えられた無線リソースにおいての信号優先順位付け動作を終了できる。
【００９４】
実施例３
本実施例３は、信号の優先順位を、下記のように定義する。
バックホールデータ＞バックホール制御１＞バックホール制御２＞アクセスデータ＞アクセス制御１＞アクセス制御２
【００９５】
本実施例３において、バックホール信号は、アクセスリンク信号のいずれのタイプに比べても高い優先順位を有する。そのため、あるサブフレームで任意のタイプのバックホール送信がスケジュールされる場合に、そのサブフレームでＲＮは、従属した中継器ＵＥからのすべての信号を無視し、バックホール信号を送信する。
【００９６】
本実施例３の優先順位手法によれば、ＲＮは、特定時間スロット（又はサブフレーム）での自身の動作モードを明確に判定でき、同一周波数帯域におけるバックホールアップリンク送信及びアクセスアップリンク送信間の衝突を起こさずにすむ。
【００９７】
本実施例におけるＲＮの動作を、下記の表３のように整理できる。
【表３】
0005544013.tif 000004
【００９８】
図９は、本実施例３に係るＲＮ動作のフローチャートである。
【００９９】
与えられた無線リソース（与えられた周波数帯域上で与えられたサブフレーム）で、ＲＮは、送信及び／又は受信する種々の信号を有するため、受信及び／又は送信のための無線リソースの判定が行われる。そして、スケジュールされた信号の優先順位を判定するために、与えられた無線リソースにおいてスケジュールされた送信／受信信号のそれぞれのタイプを判定することが行われる。
【０１００】
まず、与えられた無線リソースにおいてバックホールデータの信号タイプがスケジュールされたか否か判定する（Ｓ９０１）。与えられた無線リソースにおいてバックホールデータの信号タイプがスケジュールされているときは、ＲＮは当該無線リソースにおいてＴＸモードで動作する（Ｓ９０２）。
【０１０１】
与えられた無線リソースにおいてバックホールデータの信号タイプがスケジュールされていないときは、与えられた無線リソースにおいてバックホール制御１の信号タイプがスケジュールされたか否か判定する（Ｓ９０３）。与えられた無線リソースにおいてバックホール制御１の信号タイプがスケジュールされているときは、ＲＮは当該無線リソースにおいてＴＸモードで動作する（Ｓ９０４）。
【０１０２】
与えられた無線リソースにおいてバックホール制御１の信号タイプがスケジュールされていないときは、与えられた無線リソースにおいてバックホール制御２の信号タイプがスケジュールされたか否か判定する（Ｓ９０５）。与えられた無線リソースにおいてバックホール制御２の信号タイプがスケジュールされているときは、ＲＮは当該無線リソースにおいてＴＸモードで動作する（Ｓ９０６）。
【０１０３】
与えられた無線リソースにおいてバックホール制御２の信号タイプがスケジュールされていないと、与えられた無線リソースにおいてアクセスデータの信号タイプがスケジュールされたか否か判定する（Ｓ９０７）。与えられた無線リソースにおいてアクセスデータの信号タイプがスケジュールされていると、ＲＮは当該無線リソースにおいてＲＸモードで動作する（Ｓ９０８）。
【０１０４】
与えられた無線リソースにおいてアクセスデータの信号タイプがスケジュールされていないと、与えられた無線リソースにおいてアクセス制御１の信号タイプがスケジュールされたか否か判定する（Ｓ９０９）。与えられた無線リソースにおいてアクセス制御１の信号タイプがスケジュールされていると、ＲＮは当該無線リソースにおいてＲＸモードで動作する（Ｓ９１０）。
【０１０５】
与えられた無線リソースにおいてアクセス制御１の信号タイプがスケジュールされていないときは、与えられた無線リソースにおいてアクセス制御２の信号タイプがスケジュールされたか否か判定する（Ｓ９１１）。与えられた無線リソースにおいてアクセス制御２の信号タイプがスケジュールされているときは、ＲＮは当該無線リソースにおいてＲＸモードで動作する（Ｓ９１２）。
【０１０６】
与えられた無線リソースにおいてアクセス制御２の信号タイプがスケジュールされていないときは、ＲＮは、与えられた無線リソースにおいての信号優先順位付け動作を終了できる。
【０１０７】
実施例４
本実施例４は、信号の優先順位を、下記のように定義する。
バックホールデータ＞アクセスデータ＞バックホール制御１＞バックホール制御２＞アクセス制御１＞アクセス制御２
【０１０８】
本実施例４で、アクセスデータはバックホール制御信号に比べて高い優先順位を有するが、アクセス制御信号は、いずれのバックホール制御信号も低い優先順位を有する。そのため、従属した中継器ＵＥがアクセスリンク制御１（ＡＣＫ／ＮＡＣＫ及び／又はＳＲ）を送信するサブフレームで、ＲＮがバックホール制御２（ＣＳＩフィードバック及び／又はＳＲＳ）を送信するようにスケジュールされる場合、ＲＮは、アクセスリンク信号受信を無視したままバックホール信号を送信する。しかし、そのサブフレームでアクセスリンクデータ（ＰＵＳＣＨ）が共にスケジュールされると、ＲＮは、バックホール送信を無視したままアクセスリンク信号を受信する。
【０１０９】
本実施例４の優先順位手法によれば、ＲＮは、特定時間スロット（又はサブフレーム）での自身の動作モードを明確に判定でき、同一周波数帯域におけるバックホールアップリンク送信及びアクセスアップリンク送信間の衝突を起こさずにすむ。
【０１１０】
本実施例におけるＲＮの動作を、下記の表４のように整理できる。
【表４】
0005544013.tif 000005
【０１１１】
図１０は、本実施例４に係るＲＮ動作のフローチャートである。
【０１１２】
与えられた無線リソース（与えられた周波数帯域で与えられたサブフレーム）において、ＲＮは、送信及び／又は受信する種々の信号を有するため、受信及び／又は送信のための無線リソースの判定が行われる。そして、スケジュールされた信号の優先順位を判定するために、与えられた無線リソースにおいてスケジュールされた送信／受信信号のそれぞれのタイプを判定することが行われる。
【０１１３】
まず、与えられた無線リソースにおいてバックホールデータの信号タイプがスケジュールされたか否か判定する（Ｓ１００１）。与えられた無線リソースにおいてバックホールデータの信号タイプがスケジュールされているときは、ＲＮは、当該無線リソースにおいてＴＸモードで動作する（Ｓ１００２）。
【０１１４】
与えられた無線リソースにおいてバックホールデータの信号タイプがスケジュールされていないときは、与えられた無線リソースにおいてアクセスデータの信号タイプがスケジュールされたか否か判定する（Ｓ１００３）。与えられた無線リソースにおいてアクセスデータの信号タイプがスケジュールされているときは、ＲＮは、当該無線リソースにおいてＲＸモードで動作する（Ｓ１００４）。
【０１１５】
与えられた無線リソースにおいてアクセスデータの信号タイプがスケジュールされていないときは、与えられた無線リソースにおいてバックホール制御１の信号タイプがスケジュールされたか否か判定する（Ｓ１００５）。与えられた無線リソースにおいてバックホール制御１の信号タイプがスケジュールされているときは、ＲＮは、当該無線リソースにおいてＴＸモードで動作する（Ｓ１００６）。
【０１１６】
与えられた無線リソースにおいてバックホール制御１の信号タイプがスケジュールされていないときは、与えられた無線リソースにおいてバックホール制御２の信号タイプがスケジュールされたか否か判定する（Ｓ１００７）。与えられた無線リソースにおいてバックホール制御２の信号タイプがスケジュールされているときは、ＲＮは、当該無線リソースにおいてＴＸモードで動作する（Ｓ１００８）。
【０１１７】
与えられた無線リソースにおいてバックホール制御２の信号タイプがスケジュールされていないときは、与えられた無線リソースにおいてアクセス制御１の信号タイプがスケジュールされたか否か判定する（Ｓ１００９）。与えられた無線リソースにおいてアクセス制御１の信号タイプがスケジュールされているときは、ＲＮは、当該無線リソースにおいてＲＸモードで動作する（Ｓ１０１０）。
【０１１８】
与えられた無線リソースにおいてアクセス制御１の信号タイプがスケジュールされていないときは、与えられた無線リソースにおいてアクセス制御２の信号タイプがスケジュールされたか否か判定する（Ｓ１０１１）。与えられた無線リソースにおいてアクセス制御２の信号タイプがスケジュールされているときは、ＲＮは、当該無線リソースにおいてＲＸモードで動作する（Ｓ１０１２）。
【０１１９】
与えられた無線リソースにおいてアクセス制御２の信号タイプがスケジュールされていないときは、ＲＮは、与えられた無線リソースにおいての信号優先順位付け動作を終了できる。
【０１２０】
後述する本発明の実施例５及び６は、ＲＮ動作の優先順位選択の基準を提供する。
【０１２１】
実施例５
本実施例５で、ＲＮは、アクセスリンクの使用（利用又は負荷）の度合いを測定して、バックホール制御１（バックホールデータ送信と関連したバックホール制御信号）及びアクセスデータ間の優先順位を判定できる。アクセスリンクの使用度は、アクセスリンクの実際信号送信が占めるリソースの部分に基づいて、アクセスリンクの使用度は、ＲＮに接続した中継器ＵＥの個数、中継器ＵＥのトラフィック強度、又はアクセスリンク品質などのうち一つ以上に基づいて測定できる。
【０１２２】
また、アクセスリンク使用度の測定は、相対的なものでよい。例えば、アクセスリンクの使用は、バックホールリソース利用可能性によって正規化可能である。
【０１２３】
バックホール制御１及びアクセスデータ間の優先順位を判定するために、アクセスリンク使用度を、予め決定されたしきい値と比較できる。具体的に、アクセスリンク使用度がしきい値以下であれば、アクセスデータに与えられた優先順位よりもバックホール制御１に高い優先順位を与えることができる。すなわち、与えられたサブフレームにおいてバックホール制御１の送信／受信がスケジュールされる場合に、ＲＮはアクセスデータの送信／受信を停止（ｄｒｏｐ）することができる。このようなＲＮ動作は、アクセスリンクに対するリソース要求が高くないと共に、バックホールリンクでの余分の再送信を回避することによってバックホールリンク効率を改善できるという点から許容可能である。したがって、ＲＮは、実施例１で定義された信号優先順位（バックホールデータ＞バックホール制御１＞アクセスデータ＞アクセス制御１＞バックホール制御２＞アクセス制御２）、又は実施例３で定義された信号優先順位（バックホールデータ＞バックホール制御１＞バックホール制御２＞アクセスデータ＞アクセス制御１＞アクセス制御２）に従って動作できる。
【０１２４】
アクセスリンク使用度がしきい値より高い場合に、ＲＮは、バックホール制御１に与えられた優先順位よりもアクセスデータに高い優先順位を与えることができる。そのため、ＲＮは、実施例２で定義された信号優先順位（バックホールデータ＞アクセスデータ＞バックホール制御１＞アクセス制御１＞バックホール制御２＞アクセス制御２）、又は実施例４で定義された信号優先順位（バックホールデータ＞アクセスデータ＞バックホール制御１＞バックホール制御２＞アクセス制御１＞アクセス制御２）に従って動作できる。
【０１２５】
実施例６
ＲＮの接続したｅＮＢは、バックホール制御２の設定メッセージ（例えば、周期的なＣＱＩフィードバック設定、ＳＲＳ送信設定）をＲＮに送信できる。ＲＮのバックホール制御２のフィードバック／送信周期は、ｅＮＢからの設定メッセージに含まれたパラメータでよい。
【０１２６】
ＲＮは、バックホール制御２に対するフィードバック／送信周期を、予め決定されたしきい値と比較して、バックホール制御２及びアクセスデータ間の優先順位又はバックホール制御２及びアクセス制御１間の優先順位を判定できる。具体的に、バックホール制御２のフィードバック／送信周期がしきい値よりも高いとき（すなわち、バックホール制御２送信機会がまれ（ｉｎｆｒｅｑｕｅｎｔ）なとき）、ＲＮは、アクセスデータ又はアクセス制御１に与えられた優先順位よりも高い優先順位をバックホール制御２に与えることができる。このようなＲＮ動作は、ＲＮにまれに与えられるバックホール制御信号のフィードバック／送信機会の損失を回避できる。したがって、ＲＮは、実施例３で定義された信号優先順位（バックホールデータ＞バックホール制御１＞バックホール制御２＞アクセスデータ＞アクセス制御１＞アクセス制御２）、又は実施例４で定義された信号優先順位（バックホールデータ＞アクセスデータ＞バックホール制御１＞バックホール制御２＞アクセス制御１＞アクセス制御２）に従って動作できる。
【０１２７】
バックホール制御２のフィードバック／送信周期がしきい値以下のとき（すなわち、バックホール制御２送信機会が頻繁なとき）、ＲＮは、バックホール制御２に与えられた優先順位よりもアクセスデータ又はアクセス制御１に高い優先順位を与えることができる。したがって、ＲＮは、実施例１で定義された信号優先順位（バックホールデータ＞バックホール制御１＞アクセスデータ＞アクセス制御１＞バックホール制御２＞アクセス制御２）、又は実施例２で定義された信号優先順位（バックホールデータ＞アクセスデータ＞バックホール制御１＞アクセス制御１＞バックホール制御２＞アクセス制御２）に従って動作できる。
【０１２８】
前述の実施例５及び６を優先順位付けの基準として同時に考慮でき、これを整理すると、下記の表５のとおりである。
【表５】
0005544013.tif 000006
【０１２９】
図１１を参照して、表５の優先順位基準に基づくＲＮの動作について説明する。
【０１３０】
段階Ｓ１１０１で、ＲＮは、ｅＮＢから受信した設定メッセージから、バックホール制御２（例えば、バックホールリンクＣＳＩ及び／又はＳＲＳ）の送信の周期を判定できる。段階Ｓ１１０２で、ＲＮは、前述した実施例６によって、判定されたバックホール制御２の送信の周期を、予め決定された第１しきい値と比較できる。バックホール制御２の送信の周期が、第１しきい値よりも大きいとき（すなわち、段階Ｓ１１０２の比較結果が‘ＹＥＳ’のとき）、ＲＮは、自身に設定されたバックホール制御２送信機会がまれであると判定し、段階Ｓ１１０３に移行できる。
【０１３１】
段階Ｓ１１０３で、ＲＮは、アクセスリンクの使用度を測定できる。段階Ｓ１１０４でＲＮは、前述の実施例５によって、測定されたアクセスリンク使用度を、予め決定された第２しきい値と比較できる。
【０１３２】
アクセスリンク使用度が第２しきい値よりも大きいとき（すなわち、段階Ｓ１１０４の比較結果が‘ＹＥＳ’のとき）、ＲＮは、実施例４で定義された信号優先順位（バックホールデータ＞アクセスデータ＞バックホール制御１＞バックホール制御２＞アクセス制御１＞アクセス制御２）を選択し、それに応じて動作できる（段階Ｓ１１０５）。
【０１３３】
アクセスリンク使用度が第２しきい値以下のときは（段階Ｓ１１０４の比較結果が‘ＮＯ’のとき）、ＲＮは、実施例３で定義された信号優先順位（バックホールデータ＞バックホール制御１＞バックホール制御２＞アクセスデータ＞アクセス制御１＞アクセス制御２）を選択し、それに応じて動作できる。（段階Ｓ１１０６）。
【０１３４】
一方、段階Ｓ１１０２でバックホール制御２の送信の周期が第１しきい値以下でれば（段階Ｓ１１０２の比較結果が‘ＮＯ’のとき）、ＲＮは、自身に設定されたバックホール制御２の送信機会が頻繁であると判定し、段階Ｓ１１０７に移行できる。
【０１３５】
段階Ｓ１１０７で、ＲＮは、アクセスリンクの使用度を測定できる。段階Ｓ１１０８でＲＮは、実施例５によって、測定されたアクセスリンク使用度を、予め決定された第２しきい値と比較できる。
【０１３６】
アクセスリンク使用度が第２しきい値より大きいとき（すなわち、段階Ｓ１１０８の比較結果が‘ＹＥＳ’のとき）、ＲＮは、実施例２で定義される信号優先順位（バックホールデータ＞アクセスデータ＞バックホール制御１＞アクセス制御１＞バックホール制御２＞アクセス制御２）を選択し、それに応じて動作できる（段階Ｓ１１０９）。
【０１３７】
アクセスリンク使用度が第２しきい値以下のとき（すなわち、段階Ｓ１１０８の比較の結果が‘ＮＯ’のとき）、ＲＮは、実施例１で定義される信号優先順位（バックホールデータ＞バックホール制御１＞アクセスデータ＞アクセス制御１＞バックホール制御２＞アクセス制御２）を選択し、それに応じて動作できる（段階Ｓ１１１０）。
【０１３８】
実施例５及び／又は実施例６の優先順位付けの基準によれば、ＲＮは特定時間スロット（又はサブフレーム）での自身の動作モードを明確に判定でき、同一周波数帯域におけるバックホールアップリンク送信及びアクセスアップリンク送信間の衝突を起こさずにすむ。
【０１３９】
以下では、前述した実施例を実行する装置について説明する。
【０１４０】
無線通信システムにおいて、ＲＮは、受信モジュール、送信モジュール、プロセッサ、メモリユニット、多重アンテナなどを含むことができる。本発明の実施例に係るバックホールリンク及びアクセスリンク信号の送信及び受信動作の優先順位付けを行うＲＮの構成について具体的に説明する。
【０１４１】
図１２は、本発明の一実施例に係るＲＮの構成を示す図である。
【０１４２】
ＲＮ  １２００は、受信（Ｒｘ）モジュール１２１０、送信（Ｔｘ）モジュール１２２０、プロセッサ１２３０、メモリユニット１２４０及び多重アンテナ１２５０を含むことができる。ＲＮ  １２００は、ｅＮＢ  １２６０に無線で接続できる。バックホールダウンリンクは、ｅＮＢ  １２６０からＲＮ  １２００への無線リンクであり、バックホールアップリンクは、ＲＮ  １２００からｅＮＢ  １２６０への無線リンクである。また、ＲＮ  １２００は、ＵＥ  １２７０と無線で接続できる。アクセスダウンリンクは、ＲＮ  １２００からＵＥ  １２７０への無線リンクであり、アクセスアップリンクは、ＵＥ  １２７０からＲＮ  １２００への無線リンクである。
【０１４３】
プロセッサ１２３０は、他の構成要素（Ｒｘモジュール１２１０、Ｔｘモジュール１２２０、メモリユニット１２４０及び多重アンテナ１２５０）と通信可能に接続すればよい。プロセッサ１２３０は、種々の機能モジュールを含むことができ、特に制御モジュール１２３１、計算モジュール１２３２及び比較モジュール１２３３が図１２に示されている。制御モジュール１２３１は、ＲＮ  １２００の他の構成要素の動作を制御するように構成できる。具体的に、制御モジュール１２３１は、信号の優先順位に従ってバックホールリンク及びアクセスリンク信号を受信及び送信するために、Ｒｘモジュール１２１０及びＴｘモジュール１２２０を制御するように構成できる。具体的に、制御モジュール１２３１は、信号の優先順位に従ってバックホールリンク及びアクセスリンク信号を受信及び送信するためにＲｘモジュール１２１０及びＴｘモジュール１２２０を制御するように構成できる。計算モジュール１２３２は、アクセスリンク使用度を測定し、ｅＮＢによって指示される制御信号送信周期を判定する等の動作を行うように構成できる。比較モジュール１２３３は、様々な値の比較、例えば、制御信号周期と予め決定されたしきい値との比較、又は、測定されたアクセスリンク使用度と予め決定されたしきい値との比較を行うように構成できる。
【０１４４】
メモリユニット１２４０は、ＲＮ動作に関連する情報を記憶したりアップデートしたりすることができる。例えば、計算モジュール１２３２からの計算された結果、（上記の実施例１乃至４で定義されたような）信号優先順位順序などを記憶したりアップデートしたりすることができる。
【０１４５】
ＵＥ  １２７０にとっては、ＲＮ  １２００が別途のｅＮＢと見なされる。ＵＥ  １２７０は、スケジュール情報及びＨＡＲＱフィードバックをＲＮ  １２００から直接受信し、自身の制御チャネル（ＳＲ、ＡＣＫ／ＮＡＣＫ、ＣＱＩ、ＳＲＳなど）をＲＮ  １２００に送信するように構成することが可能である。したがって、無線通信ネットワークでのＲＮの存在を考慮しないＵＥに対する後方互換性が達成できる。
【０１４６】
本発明の一実施例によれば、ＵＥ  １２７０からＲＮ  １２００へのアップリンク信号は、３タイプの信号、すなわち、データ（ＰＵＳＣＨ）、データ送信に関連する制御信号（ＡＣＫ／ＮＡＣＫ及び／又はＳＲ）、チャネル状態情報に関連する制御信号（ＣＱＩフィードバック及び／又はＳＲＳ）に分類できる。
【０１４７】
ＵＥ  １２７０からＲＮ  １２００への送信は、（ＵＥ  １２７０にとってｅＮＢとみなされる）ＲＮ  １２００によってスケジュールされることがある。ＲＮ  １２００からのスケジュール情報を受信する場合、ＵＥ  １２７０は、データ、データ送信に関連する制御信号及びチャネル状態情報に関連する制御信号の順に送信優先順位を有するように設定できる。ＲＮ  １２００からｅＮＢ  １２６０へのデータの他、データ送信に関連する制御信号もスケジュールされない場合に、ＵＥ  １２７０は、与えられたサブフレームでデータ（ＰＵＳＣＨ）又はＵＥデータ送信に関連する制御信号（ＡＣＫ／ＮＡＣＫ及び／又はＳＲ）を送信するように構成できる。ＲＮ  １２００からｅＮＢ  １２６０へのデータ、データ送信に関連する制御信号及びチャネル状態情報に関連する制御信号のいずれもスケジュールされない場合に、ＵＥ  １２７０は、チャネル状態情報（ＣＱＩフィードバック及び／又はＳＲＳ）に関連する制御信号を送信するように構成できる。
【０１４８】
一方、本発明において、移動局の例示は、パーソナルデジタルアシスタント（ＰＤＡ）、セルラ電話機、パーソナル通信サービス（ＰＣＳ）電話機、ＧＳＭ電話機、広帯域ＣＤＭＡ（ＷＣＤＭＡ）電話機、移動体広帯域システム（ＭＢＳ）電話機を含むことができる。また、移動局の例示は、ＰＤＡ、携帯ＰＣ、ノートブック型ＰＣ、スマートフォン、多モード多バンド（ＭＭ−ＭＢ）端末を含むことができる。
【０１４９】
本発明の実施例は、ハードウェア、ファームウェア、ソフトウェア又はこれらの組み合わせの様々な手段により具現可能である。
【０１５０】
ハードウェアによる具現の場合、本発明の実施例に係る方法は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現可能である。
【０１５１】
ファームウェア又はソフトウェアによる具現の場合、本発明の実施例に係る方法は、以上で説明された機能又は動作を行うモジュール、手順又は関数などの形態で具現できる。ソフトウェアコードは、メモリユニットに記憶され、プロセッサにより駆動されてもよい。メモリユニットは、プロセッサの内部又は外部に設けられて、公知の種々の手段によってプロセッサとデータを授受することができる。
【０１５２】
本発明は、本発明の精神及び必須特徴を逸脱しない範囲で他の特定の形態に具体化できるということが当業者には明白である。したがって、上記の詳細な説明は、いずれの面においても制約的に解釈されてはならず、例示的なものとして考慮しなければならない。よって、本発明の範囲は、添付した請求項の合理的解釈により定めるべきである。したがって、本発明の等価的範囲内における変更はいずれも本発明の範囲に含まれる。
【産業上の利用可能性】
【０１５３】
本発明の実施例は、種々の無線通信システムに適用可能である。種々の無線アクセスシステムの例示は、３ＧＰＰ  ＬＴＥシステム、３ＧＰＰ  ＬＴＥ−Ａシステム、３ＧＰＰ２システム及び／又はＩＥＥＥ８０２．ｘｘシステムを含むことができる。本発明の実施例は、様々なアクセスシステムの他、様々なアクセスシステムの適用されるいかなる技術分野にも適用可能である。
【図１】
0005544013.tif 000007
【図２】
0005544013.tif 000008
【図３】
0005544013.tif 000009
【図４】
0005544013.tif 000010
【図５】
0005544013.tif 000011
【図６】
0005544013.tif 000012
【図７】
0005544013.tif 000013
【図８】
0005544013.tif 000014
【図９】
0005544013.tif 000015
【図１０】
0005544013.tif 000016
【図１１】
0005544013.tif 000017
【図１２】
0005544013.tif 000018